(57)【要約】  本発明の携帯用組立式フラットベンチは、複数の支持体（１）が前後及び左右方向に相互離間して配列され、前記支持体（１）が連結パネル（３）で連結される携帯用組立式フラットベンチ（Ａ）において、前記支持体（１）は基板（１１）の底部に支持脚（１２）が一体に備えられ、前記支持脚（１２）は基板（１１）から外側へ漸次に広がる形態に結合され、前記支持体（１）の基板（１１）の上部には支持パネル（２）が備えられ、隣接する二つの支持体（１）は連結パネル（３）によって連結され、前記連結パネル（３）によって連結された組立式フラットベンチの空間部にもまた他の連結パネル（３）が連結されて組み立てられることを特徴とする。
2012522617.tif 000002
【特許請求の範囲】
【請求項１】
複数の支持体（１）が前後及び左右方向に相互離間して配列され、前記支持体（１）が連結パネル（３）で連結される携帯用組立式フラットベンチ（Ａ）において、
前記支持体（１）は基板（１１）の底部に支持脚（１２）が一体に備えられ、前記支持脚（１２）は基板（１１）から外側へ漸次に広がる形態に結合され、
前記支持体（１）の基板（１１）の上部には支持パネル（２）が備えられ、隣接する二つの支持体（１）は連結パネル（３）によって連結され、前記連結パネル（３）によって連結された組立式フラットベンチの空間部にもまた他の連結パネル（３）が連結されて組み立てられることを特徴とする携帯用組立式フラットベンチ。
【請求項２】
前記支持体（１）と支持パネル（２）は一体に形成されることを特徴とする請求項１に記載の携帯用組立式フラットベンチ。
【請求項３】
前記支持体（１）の基板（１１）の角部には四つの締結孔（１１１）が形成され、前記四つの締結孔（１１１）に前記支持パネル（２）及び連結パネル（３）が締結されて組み立てられることを特徴とする請求項１に記載の携帯用組立式フラットベンチ。
【請求項４】
前記支持パネル（２）及び連結パネル（３）の角部の底部には締結突起（２４、３４）が一体に形成され、前記締結突起（２４、３４）が前記支持体（１）の基板（１１）の角部に形成された締結孔（１１１）に挿入されて連結組み立てられることを特徴とする請求項３に記載の携帯用組立式フラットベンチ。
【請求項５】
前記支持体（１）の支持脚（１２）には前記支持脚（１２）を相互連結する補助部材（１３）が前記支持脚（１２）の中間部に形成され、前記補助部材（１３）の中央には貫通孔（１３１）が形成され、前記貫通孔（１３１）に締結部材（１４）が貫通されて前記支持体（１）が相互結合されることを特徴とする請求項１乃至４の中の何れか一項に記載の携帯用組立式フラットベンチ。
【請求項６】
前記支持体（１）の支持脚（１２）の底面には平板状の脚支持具（５）が結合されており、前記脚支持具（５）には前記支持脚（１２）の端部と対応する形態の切開部（５１）が形成されることを特徴とする請求項１乃至４の中の何れか一項に記載の携帯用組立式フラットベンチ。
【請求項７】
前記支持体（１）の支持脚（１２）の底面には脚下敷（６）が結合されており、前記脚下敷（６）は底部に空間部（６２）を有するように上部に突出された形態に形成され、突出された上面には前記支持脚（１２）の端部と対応する形態の切開部（６１）が形成されることを特徴とする請求項１乃至４の中の何れか一項に記載の携帯用組立式フラットベンチ。
【発明の詳細な説明】
【技術分野】
【０００１】
本発明は携帯用組立式フラットベンチに関し、さらに詳しくは、複数の支持体が前後及び左右方向に等間隔で相互離間して配列されて連結パネルで連結されることによって、体積が小さくて携帯及び保管が簡便で、且つ組み立て及び分解が容易であり、フラットベンチの大きさを自由に調節することができる。
【背景技術】
【０００２】
一般に、フラットベンチは室外や野外で人が休むことができるように構成された寝床の一種で、通常平たい形状の板材の底面の各角部に支持脚が付着された構成からなるが、その体積及び重量などが必要以上に大きかったり重くて、移動が困難である問題点があって、携帯用に使用することは考えられなかった。
【０００３】
このような問題点に鑑みて、フラットベンチの構成要素である板材、支持脚、骨組みを分解して携帯の容易性を図るための分解及び組み立て型フラットベンチが一部市販されていたが、前記のような従来の携帯用フラットベンチは、その体積が大きくて携帯性が劣っており、しかも、組み立てが煩雑である問題点があった。
【０００４】
このような問題点を解消するために先登録された韓国登録実用新案公報第４４１５９０号では、図１のように、複数の横骨組、縦骨組、板材、一つ以上の連結具及び支持脚で構成される携帯用フラットベンチにおいて、前記フラットベンチ骨格に載置される板材を４等分して四つの単位板材が構成されるようにしながら、フラットベンチ骨格の中央には中央骨組をフラットベンチ骨格の横骨組と平行するように具備した後、中央骨組の両端部を縦骨組中央に固定された上部開放型支持具に挿入し、前記フラットベンチ骨格の横骨組と中央骨組は両側に分離構成して連結骨組で連結し、前記横骨組、縦骨組、中央骨組の各上面には挿入溝を形成し、横骨組と縦骨組の挿入溝には単位板材底面辺縁に形成される外側横突条及び縦突条、中央骨組の挿入溝には単位板材底面の内側横突条が挿入されるようにし、前記横骨組と縦骨組を連結する連結具の両側連結台及び連結骨組の中央には収容溝を形成して、この収容溝に横骨組、縦骨組、中央骨組の挿入溝が畳まれる形態に結合されることができるようにしており、連結具の上面に単位板材の角部が載置されることができるとともに、直交方向の端部に挿入溝が形成される載置溝を形成し、前記連結具の底面中央には支持脚上部を収容する延長管を連結具と一体型に形成して、延長管の中心に頭部が連結具の中央内部に埋設されながら、支持脚上部中央のネジ孔が締結されるボルトを延長管の長さ方向に構成し、前記支持脚の下端には支持脚下部の調節ネジ孔に締結される調節ボルトの頭部が中央内部に埋設されることによって、内部中心に調節ボルトが垂直に固定される地面接触用支持管を結合した組立式フラットベンチを提案した。
【０００５】
しかし、前記先登録された実用新案は、フラットベンチの大きさを多様に構成することができなく、組み立て及び分解が難しくて、しかも短時間に組み立て及び分解して使う携帯用としての使用に不便があった。
【発明の概要】
【発明が解決しようとする課題】
【０００６】
従って、本発明の目的は、上述した従来の携帯用組立式フラットベンチが有する諸問題点を解決するために創出されたもので、複数の支持体が前後及び左右方向に等間隔で相互離間して配列されて連結パネルで連結されることによって、解体の時、体積が小さくて携帯及び保管が簡便で、老若男女誰でも手軽く組み立て及び分解することができ、必要によってフラットベンチの大きさを自由に調節することができるようにする携帯用組立式フラットベンチを提供する。
【０００７】
また、前記組立式フラットベンチに締結部材と固定帯をさらに具備させて構造的に安定した組立式フラットベンチを提供することができるようにし、支持体の底面には脚支持具または脚下敷がさらに結合されて浜辺の砂浜などにもフラットベンチの設置が可能になるようにしたものである。
【課題を解決するための手段】
【０００８】
上述した目的を果たすための本発明の携帯用組立式フラットベンチは、複数の支持体１が前後及び左右方向に相互離間して配列され、前記支持体１が連結パネル３で連結される携帯用組立式フラットベンチＡにおいて、前記支持体１は基板１１の底部に支持脚１２が一体に備えられ、前記支持脚１２は基板１１から外側へ漸次に広がる形態に結合され、前記支持体１の基板１１の上部には支持パネル２が備えられ、隣接する二つの支持体１は連結パネル３によって連結され、前記連結パネル３によって連結された組立式フラットベンチの空間部にもまた他の連結パネル３が連結されて組み立てられることを特徴とする。
【発明の効果】
【０００９】
本発明の携帯用組立式フラットベンチによれば、解体の時、体積が小さくて携帯及び保管が簡便で、老若男女誰でも手軽く組み立て及び分解することができ、必要によってフラットベンチの大きさを自由に調節することができるようにする效果を提供する。
【００１０】
また前記組立式フラットベンチに締結部材と固定帯をさらに具備させて構造的に安定するようにし、支持体の底面には脚支持具または脚下敷がさらに結合されて浜辺の砂浜などにもフラットベンチの設置が可能であり、必要によってテーブルと椅子として用い、フラットベンチの上部にテントまたは日陰テントを設置することができて多目的に活用することができるようにする效果を提供する。
【図面の簡単な説明】
【００１１】
【図１】従来の組立式フラットベンチを示した斜視図である。
【図２】本発明による携帯用組立式フラットベンチの斜視図である。
【図３】本発明による携帯用組立式フラットベンチの支持パネル及び連結パネルが分離した状態の斜視図である。
【図４】本発明による携帯用組立式フラットベンチの支持体に支持パネルが一体に形成された状態を示した斜視図である。
【図５】本発明による携帯用組立式フラットベンチに締結部材及び固定帯が設置された状態を示した斜視図である。
【図６】本発明の支持体の底面に脚支持具が設置された状態を示した斜視図である。
【図７】本発明の支持体の底面に脚支持具が設置された状態を示した斜視図である。
【図８】本発明の支持体の底面に脚下敷が設置された状態を示した斜視図である。
【図９】本発明の携帯用組立式フラットベンチの使用状態を示した斜視図である。
【図１０】本発明の携帯用組立式フラットベンチの使用状態を示した斜視図である。
【発明を実施するための形態】
【００１２】
以下、本発明による携帯用組立式フラットベンチＡを添付図面を参照して詳しく説明する。
【００１３】
まず、図２は本発明による携帯用組立式フラットベンチＡの斜視図であり、本発明は複数の支持体１と、前記支持体１の上部に備えられる支持パネル２と、隣接する支持体１を連結する連結パネル３とで構成される。
【００１４】
この時、前記支持体１は基板１１の底部に支持脚１２が備えられ、前記基板１１の上部に支持パネル２が備えられる。前記支持パネル２は、図面では四角形のパネルに示されているが、必ずこの形態に限定されるものではない。前記支持パネル２は、図３のように、前記基板１１と分離した状態で結合されてもよく、図４のように、前記支持体１の基板１１に一体に形成されてもよいが、その結合状態に限定されるものではない。また、前記基板１１の底部に備えられた支持脚１２は、前記基板１１と一体に形成されてもよく、それぞれ組み立て結合されて備えられてもよい。即ち、その形態には特に制限はない。
【００１５】
また、前記支持体１の支持脚１２は、前記基板１１と直角に備えられるのではなく、基板１１から外側へ漸次に広がる形態に結合される。これは組立式フラットベンチＡの解体の時、支持体１を互いに積層して保管できるようにするためである。
【００１６】
図３及び図４のように、本発明による携帯用組立式フラットベンチＡは、複数の支持体１は前後及び左右方向に相互離間して配列されて連結パネル３で連結されることで完成される。好ましくは、等間隔に配列されて、前記支持体１の基板１１の上部に備えられた支持パネル２と隣接する二つの支持体１を連結する連結パネル３は同じ形状を有する。
【００１７】
また、前記二つの隣接する支持体１は連結パネル３で連結され、前記支持パネル２及び連結パネル３によって形成された組立式フラットベンチＡの空間部にもまた他の連結パネル３が連結されることによって、下部に配列された複数の支持体１の上部は空間部なしに全て支持パネル２及び連結パネル３で連結設置される。
【００１８】
この時、前記支持パネル２と連結パネル３の連結は、全て支持体１の基板１１上で行われ、基板１１の上部に支持パネル２が備えられ、前記支持パネル２と連結パネル３の側端が基板１１の辺縁部分で互いに連結され、前記支持パネル２と連結パネル３との間の空間部に満たされるまた他の連結パネル３は角部がそれぞれ互いに異なる支持体１の基板１１の角部で結合される。
【００１９】
このために、前記支持体１の基板１１の角部には四つの締結孔１１１が形成されて、前記四つの締結孔１１１に前記支持パネル２及び連結パネル３が締結されて組み立てられる。即ち、前記支持パネル２及び連結パネル３のそれぞれの角部の底部には締結突起２４、３４が形成されて、前記締結突起２４、３４が前記支持体１の基板１１の角部に形成された締結孔１１１に挿入されて連結組み立てられる。この時、前記締結突起２４、３４は前記支持パネル２及び連結パネル３と一体に形成されてもよく、通常のねじのような締結具をパネルの上下を貫通させて設置されるようにしてもよいが、特に制限はない。
【００２０】
従って、図面を通じて確認することができるように、前記基板１１のそれぞれの角部に形成された四つの締結孔１１１には互いに異なる四つのパネル２、３がそれぞれ結合される。
【００２１】
また、前記支持パネル２及び連結パネル３には、一側面と前記一側面と隣接する何れか一つの側面にはダブテール突起２２、３２がそれぞれ形成され、前記ダブテール突起２２、３２と対向する側の側面には前記ダブテール突起２２、３２と対応するダブテール溝２３、３３がそれぞれ形成されることができる。従って、前記ダブテール突起２２、３２とダブテール溝２３、３３が形成される場合には、前記支持パネル２または連結パネル３のダブテール突起２２、３２が隣接する支持パネル２または連結パネル３のダブテール溝２３、３３に挿入されて組み立てられることによって、横方向に外力が加えられても相互分離しない。
【００２２】
同時に、前記支持パネル２及び連結パネル３には、上下に貫通した複数の長孔２１、３１が形成されることができる。これは支持パネル２及び連結パネル３に空気が通じるようにして、暑い夏使用者に快適な使用感を感じるようにするためである。
【００２３】
一方、図５のように、組み立てられた携帯用組み立て型フラットベンチＡの締結力をさらに向上させるために、前記支持体１の支持脚１２には、前記支持脚１２を相互連結する補助部材１３が前記支持脚１２の中間部に形成され、前記補助部材１３の中央には貫通孔１３１が形成されて、前記貫通孔１３１にバー状の締結部材１４が貫通されて、上、下または左、右に配列された複数の支持体１が相互結合される。また、前記締結部材１４は前記保護部材１３ではない前記支持体１の基板１１の側面を通じて設置されることもできる。前記基板１１の側面にも貫通孔を形成し、前記貫通孔を通じて締結部材１４を貫通させて締結することができる。
【００２４】
同時に、前記前後及び左右方向に等間隔で相互離間して配列された複数の支持体１全体を取り囲むように固定帯４がさらに設置されることができる。前記固定帯４が支持体１を安定的に取り囲むように前記支持体１の支持脚１２の外側面に固定帯載置溝１５が形成されることが好ましい。前記固定帯載置溝１５はその形状や大きさの形成位置に特に制限はなく、固定帯４が安定的に載置されることができる程度であれば充分である。また、前記固定帯４はバックルなどによって両端が締結されるようにしてもよく、ベルクロテープ等を利用して両端が締結されてもよいが、特に制限はない。
【００２５】
また、本発明の携帯用組立式フラットベンチＡが硬い地面ではない砂浜、または雨が降った直後の湿度の高い所に設置される場合、前記支持体１の支持脚４が設置面に安定的に支持されることができずに、砂浜または地面で内側に抜けることを防止するために、図６〜図８のように、前記支持体１の支持脚１２の底面に脚支持具５または脚下敷６を備えることができる。
【００２６】
前記脚支持具５は平板状で、図６のように、一つの管体で四つの支持脚１２を全て支持するように結合されてもよく、図７のように、二つの管体で支持脚１２を二つずつ支持することもできる。図面に特に示さないが、四つの支持脚１２をそれぞれ支持することもでき、その形態に特に制限はない。
【００２７】
そして、前記脚支持具５には前記支持脚１２の端部と対応する形態の切開部５１が形成されることができ、前記切開部５１に支持脚１２の端部を挿入して設置することによって、安定的に結合されることができる。この時、前記支持脚１２には係止突起を設置して支持脚１２が前記切開部５１にこれ以上挿入されないようにする。
【００２８】
また、脚下敷６は、図８のように、底部に空間部６２を有するように上部に突出された形態に形成され、突出された上面には前記脚支持具５と同様に前記支持脚１２の端部と対応する形態の切開部６１が形成されることができる。そして、前記図８では、それぞれの支持脚１２に一つずつの脚下敷６が設置されるようにしたが、支持脚１２が全て一つの脚下敷６で支持されるように四つの切開部６１を備えて形成することもできる。このような脚下敷６は砂浜などに設置する時さらに效果的であり、底部の空間部６２に砂が充填されることによってさらに堅固に支持体１を支えることができる。
【００２９】
一方、本発明の支持体１と支持パネル２及び連結パネル３はその材質に特に制限がない。例えば、プラスチックで形成される場合、パネル２の底部に強度を補強するための補強材を一体に形成することができることは当然である。
【００３０】
前記のように構成された本発明の携帯用組立式フラットベンチＡは、単純に人々が座って休むことができる空間を提供することは勿論、図９のように、携帯用組立式フラットベンチＡの上部にテントＴを設置したり、別途の日陰テントを設置することもできるもので、その活用に制限はない。
【００３１】
また、図８のように、一部の支持体１と支持パネル２及び連結パネル３のみを連結設置してテーブルとして用い、余分の支持体１と支持パネル２を椅子として用いる場合、野外用テーブルが設けられ、さらに、余分の連結パネル３のみを相互連結して野外用マットなどとして活用することもできる。
【００３２】
また、特に図示しないが、本発明の組立式フラットベンチＡの外周縁部に別途の保護欄干を設置することもできるが、本発明を制限するものではない。
【符号の説明】
【００３３】
１  支持体
２  支持パネル
３  連結パネル
４  固定帯
５  脚支持具
６  脚下敷
１１  基板
１２  支持脚
１３  補助部材
１４  締結部材
１５  固定帯載置溝
２１、３１  長孔
２２、３２  ダブテール突起
２３、３３  ダブテール溝
２４、３４  締結突起
【図１】
2012522617.tif 000003
【図２】
2012522617.tif 000004
【図３】
2012522617.tif 000005
【図４】
2012522617.tif 000006
【図５】
2012522617.tif 000007
【図６】
2012522617.tif 000008
【図７】
2012522617.tif 000009
【図８】
2012522617.tif 000010
【図９】
2012522617.tif 000011
【図１０】
2012522617.tif 000012
【国際調査報告】
2012522617.tif 000013
2012522617.tif 000014
2012522617.tif 000015
2012522617.tif 000016